(57)【要約】【課題】変調された情報が記録されている光ディスクでは、誤りが生じたＢＩＳシンボルのエラーとなったビット数により復調前のエラー状況を推測することが困難であり、バーストエラーとランダムエラーを判別することが困難となる。【解決手段】前記従来の課題を解決するために、本発明の情報再生装置は、情報担体の任意の位置Ａより複数回再生されたそれぞれの複合符号化データに対して第２符号化データに生じた誤りの位置を求め、誤り回数により手掛かり位置を決定し消失ポインタを付加する。【選択図】図１
2007273017.tif 000002
【特許請求の範囲】
【請求項１】
情報担体より符号化データを再生する再生手段と、前記符号化データに生じた誤りを訂正する誤り訂正手段を備えた情報再生装置において、
前記符号化データは、複数の第１の誤り訂正符号で誤り訂正符号化された第１符号化データと、前記第１の誤り訂正符号より訂正能力の高い複数の第２の誤り訂正符号で誤り訂正符号化された第２符号化データにより構成され、前記第２符号化データを構成するシンボル間に、前記第１符号化データを構成する所定数のシンボルが配置された複合符号化データであって、
前記誤り訂正手段は、前記情報担体の任意の位置Ａより前記再生手段により複数回再生されたそれぞれの複合符号化データに対して前記第２符号化データに生じた誤りの位置を求め、前記第２符号化データを構成するシンボルの誤り回数により手掛かり位置を決定し、前記手掛かり位置を基に消失ポインタを付加することを特徴とする情報再生装置。
【請求項２】
前記誤り訂正手段は、前記第２符号化データを構成するシンボルの誤り回数により手掛かり位置に優先度を付け、消失ポインタを付加することを特徴とする、請求項１に記載の情報再生装置。
【請求項３】
前記誤り訂正手段は、前記手掛かり位置の優先度により消失ポインタの付加方法を変えることを特徴とする、請求項２に記載の情報再生装置。
【請求項４】
前記誤り訂正手段は、優先度の高い前記手掛かり位置から順に、消失ポインタの付加に使用することを特徴とする、請求項２または３に記載の情報再生装置。
【請求項５】
前記誤り訂正手段は、１つの前記第１の誤り訂正符号に付加する消失ポインタの数を、前記第１の誤り訂正符号のパリティ数以下の所定の数とすることを特徴とする、請求項２〜４いずれかに記載の情報再生装置。
【請求項６】
前記誤り訂正手段は、前記第２符号化データを構成するシンボルの誤り回数が所定の回数以上であるものを手掛かり位置として消失ポインタを付加することを特徴とする、請求項１に記載の情報再生装置。
【請求項７】
前記誤り訂正手段は、前記手掛かり位置から連続する所定数の前記第１符号化データを構成するシンボルに消失ポインタを付加することを特徴とする、請求項１〜６いずれかに記載の情報再生装置。
【請求項８】
前記誤り訂正手段は、前記手掛かり位置から、隣接する記第２符号化データを構成するシンボルまでの、前記第１符号化データを構成するシンボルに消失ポインタを付加することを特徴とする、請求項１〜６いずれかに記載の情報再生装置。
【請求項９】
前記誤り訂正手段は、隣接する２つの前記第２符号化データを構成するシンボルが手掛かり位置である場合、前記隣接する２つの前記第２符号化データを構成するシンボル間の前記第１符号化データを構成するシンボルに消失ポインタを付加することを特徴とする、請求項１〜６いずれかに記載の情報再生装置。
【請求項１０】
情報担体より符号化データを再生する再生手段と、前記符号化データに生じた誤りを訂正する誤り訂正手段を備えた情報再生装置において、
前記符号化データは、複数の第１の誤り訂正符号で誤り訂正符号化された第１符号化データと、前記第１の誤り訂正符号より訂正能力の高い複数の第２の誤り訂正符号で誤り訂正符号化された第２符号化データにより構成され、前記第２符号化データを構成するシンボル間に、前記第１符号化データを構成する所定数のシンボルが配置された複合符号化データであって、
前記情報担体の任意の位置Ａより前記再生手段により再生された第１の複合符号化データに、前記誤り訂正手段において訂正不可能な誤りが検出された場合には、前記再生手段により前記任意の位置Ａより再度再生された第２の複合符号化データの、前記第１の複合符号化データの第２符号化データに生じた誤りの位置と、前記第２の複合符号化データの第２符号化データに生じた誤りの位置の両方を用いて、前記誤り訂正手段は消失ポインタを付加することを特徴とする情報再生装置。
【請求項１１】
前記誤り訂正手段は、前記第１の複合符号化データの第２符号化データおよび前記第２の複合符号化データの第２符号化データに生じた誤りの位置を手掛かり位置として消失ポインタを付加することを特徴とする、請求項１０に記載の情報再生装置。
【請求項１２】
前記誤り訂正手段は、前記第１の複合符号化データの第２符号化データもしくは前記第２の複合符号化データの第２符号化データに生じた誤りの位置を手掛かり位置として消失ポインタを付加することを特徴とする、請求項１０に記載の情報再生装置。
【請求項１３】
前記誤り訂正手段は、前記第１の複合符号化データの第２符号化データに所定数以上の消失ポインタが付加された場合、前記第１の複合符号化データの第２符号化データおよび前記第２の複合符号化データの第２符号化データに生じた誤りの位置を手掛かり位置として消失ポインタを付加することを特徴とする、請求項１０に記載の情報再生装置。
【請求項１４】
前記誤り訂正手段は、前記第１の複合符号化データの第２符号化データに所定数以下の消失ポインタが付加された場合、前記第１の複合符号化データの第２符号化データもしくは前記第２の複合符号化データの第２符号化データに生じた誤りの位置を手掛かり位置として消失ポインタを付加することを特徴とする、請求項１０に記載の情報再生装置。
【請求項１５】
前記誤り訂正手段は、前記第１の複合符号化データのいずれかの第２の誤り訂正符号に所定数以上の消失ポインタが付加された場合、前記第１の複合符号化データの第２符号化データおよび前記第２の複合符号化データの第２符号化データに生じた誤りの位置を手掛かり位置として消失ポインタを付加することを特徴とする、請求項１０に記載の情報再生装置。
【請求項１６】
前記誤り訂正手段は、前記第１の複合符号化データのいずれの第２の誤り訂正符号にも所定数以上の消失ポインタが付加されなかった場合、前記第１の複合符号化データの第２符号化データもしくは前記第２の複合符号化データの第２符号化データに生じた誤りの位置を手掛かり位置として消失ポインタを付加することを特徴とする、請求項１０に記載の情報再生装置。
【請求項１７】
前記誤り訂正手段は、前記第１の複合符号化データの第２符号化データおよび前記第２の複合符号化データの第２符号化データに生じた誤りの位置を優先度の高い手掛かり位置とし、前記第１の複合符号化データの第２符号化データもしくは前記第２の複合符号化データの第２符号化データに生じた誤りの位置を優先度の低い手掛かり位置として消失ポインタを付加することを特徴とする、請求項１０に記載の情報再生装置。
【請求項１８】
前記誤り訂正手段は、前記優先度の高い手掛かり位置を基にして消失ポインタを付加した後に、前記優先度の低い手掛かり位置を基にして消失ポインタを付加するすることを特徴とする、請求項１７に記載の情報再生装置。
【請求項１９】
前記誤り訂正手段は、前記優先度の高い手掛かり位置を基にした消失ポインタの付加方法と、前記優先度の低い手掛かり位置を基にした消失ポインタの付加方法が異なることを特徴とする、請求項１７または１８に記載の情報再生装置。
【請求項２０】
前記誤り訂正手段は、前記第１の誤り訂正符号に付加する消失ポインタの数を、前記第１の誤り訂正符号のパリティ数以下の所定の数以下とすることを特徴とする、請求項１０〜１９いずれかに記載の情報再生装置。
【請求項２１】
前記誤り訂正手段は、前記第１の複合符号化データの訂正不能理由により、消失ポインタを付加する方法を決定することを特徴とする、請求項１０〜２０いずれかに記載の情報再生装置。
【請求項２２】
前記誤り訂正手段は、前記第１の複合符号化データの前記第１の誤り訂正符号の訂正不能理由により、前記第１の誤り訂正符号ごとに消失ポインタを付加する方法を決定することを特徴とする、請求項１０〜２１いずれかに記載の情報再生装置。
【請求項２３】
前記誤り訂正手段は、前記手掛かり位置から、連続する所定数の前記第１符号化データを構成するシンボルを消失位置とすることを特徴とする、請求項１０〜２２いずれかに記載の情報再生装置。
【請求項２４】
前記誤り訂正手段は、前記手掛かり位置から、隣接する記第２符号化データを構成するシンボルまでの、前記第１符号化データを構成するシンボルを消失位置とすることを特徴とする、請求項１０〜２２いずれかに記載の情報再生装置。
【請求項２５】
前記誤り訂正手段は、隣接する２つの前記第２符号化データを構成するシンボルが手掛かり位置である場合、前記隣接する２つの前記第２符号化データを構成するシンボル間の前記第１符号化データを構成するシンボルを消失とすることを特徴とする、請求項１０〜２２いずれかに記載の情報再生装置。
【請求項２６】
情報担体より符号化データを再生する再生手段と、前記符号化データに生じた誤りを訂正する誤り訂正手段を備えた情報再生装置において、
前記誤り訂正手段は複数の消失ポインタ付加方法を備え、前記誤り訂正手段において訂正不可能な誤りが発生した場合には、前記再生手段により再度符号化データを再生し、前回とは異なる消失ポインタ付加方法を用いて誤りを訂正することを特徴とする情報再生装置。
【請求項２７】
前記符号化データは、複数の第１の誤り訂正符号で誤り訂正符号化された第１符号化データと、前記第１の誤り訂正符号より訂正能力の高い複数の第２の誤り訂正符号で誤り訂正符号化された第２符号化データにより構成され、前記第２符号化データを構成するシンボル間に、前記第１符号化データを構成する所定数のシンボルが配置された複合符号化データであることを特徴とする請求項２６に記載の情報再生装置。
【請求項２８】
前記誤り訂正手段は、訂正不可能な誤りが発生した第１の複合符号化データのいずれかの第２の誤り訂正符号に所定数以上の消失ポインタが付加された場合、再度再生した第２の複合符号化データには、前記第１の複合符号化データに用いた消失ポインタ付加方法よりも消失ポインタが少なくなる方法で消失ポインタを付加することを特徴とする、請求項２７に記載の情報再生装置。
【請求項２９】
前記誤り訂正手段は、訂正不可能な誤りが発生した第１の複合符号化データの前記第１符号化データに所定数以上の消失ポインタが付加された場合、再度再生した第２の複合符号化データには、前記第１の複合符号化データに用いた消失ポインタ付加方法よりも消失ポインタが少なくなる方法で消失ポインタを付加することを特徴とする、請求項２７に記載の情報再生装置。
【請求項３０】
前記誤り訂正手段は、訂正不可能な誤りが発生した第１の複合符号化データのいずれの第２の誤り訂正符号に所定数以上の消失ポインタが付加されなかった場合、再度再生した第２の複合符号化データには、前記第１の複合符号化データに用いた消失ポインタ付加方法よりも消失ポインタが多くなる方法で消失ポインタを付加することを特徴とする、請求項２７に記載の情報再生装置。
【請求項３１】
前記誤り訂正手段は、訂正不可能な誤りが発生した第１の複合符号化データの前記第１符号化データに所定数以下の消失ポインタが付加された場合、再度再生した第２の複合符号化データには、前記第１の複合符号化データに用いた消失ポインタ付加方法よりも消失ポインタが多くなる方法で消失ポインタを付加することを特徴とする、請求項２７に記載の情報再生装置。
【請求項３２】
複数の第１の誤り訂正符号で誤り訂正符号化された第１符号化データと、前記第１の誤り訂正符号より訂正能力の高い複数の第２の誤り訂正符号で誤り訂正符号化された第２符号化データにより構成され、前記第２符号化データを構成するシンボル間に前記第１符号化データを構成する所定数のシンボルが配置された複合符号化データの誤り訂正方法であって、
情報担体の任意の位置Ａより複合符号化データを複数回再生するステップと、それぞれの前記複合符号化データに対して前記第２符号化データに生じた誤りの位置を求めるステップと、前記第２符号化データを構成する各シンボル毎の誤り回数を求めるステップと、前記第２符号化データを構成する各シンボルの誤り回数により手掛かり位置を決定するステップと、前記手掛かり位置を基に消失ポインタを付加するステップと、前記第１符号化データの誤りを訂正するステップを含む誤り訂正方法。
【請求項３３】
複数の第１の誤り訂正符号で誤り訂正符号化された第１符号化データと、前記第１の誤り訂正符号より訂正能力の高い複数の第２の誤り訂正符号で誤り訂正符号化された第２符号化データにより構成され、前記第２符号化データを構成するシンボル間に前記第１符号化データを構成する所定数のシンボルが配置された複合符号化データの誤り訂正方法であって、
情報担体の任意の位置Ａよりデータを再生するステップと、前記情報担体の任意の位置Ａより再生された第１の複合符号化データの前記第２符号化データに生じた誤りの位置を求めるステップと、第１の複合符号化データに訂正不可能な誤りが検出された場合に、前記情報担体の任意の位置Ａより再度再生された第２の複合符号化データ生じた誤りの位置を求めるステップと、前記第１の複合符号化データの前記第２符号化データに生じた誤りの位置と前記第２の複合符号化データ生じた誤りの位置より手掛かり位置を決定するステップと、前記手掛かり位置を基に消失ポインタを付加するステップと、前記第１符号化データの誤りを訂正するステップを含む誤り訂正方法。
【請求項３４】
情報担体より符号化データを再生するステップと、前記符号化データに消失ポインタを付加するステップと、前記符号化データに生じた誤りを訂正するステップを含み、
前記誤りを訂正するステップにおいて訂正不可能な誤りが発生した場合には、再び前記符号化データを再生するステップを実行し、前記消失ポインタを付加するステップにおいて前回とは異なる消失ポインタ付加方法を用いることを特徴とする誤り訂正方法。
【請求項３５】
前記符号化データは、複数の第１の誤り訂正符号で誤り訂正符号化された第１符号化データと、前記第１の誤り訂正符号より訂正能力の高い複数の第２の誤り訂正符号で誤り訂正符号化された第２符号化データにより構成され、前記第２符号化データを構成するシンボル間に、前記第１符号化データを構成する所定数のシンボルが配置された複合符号化データであることを特徴とする請求項３４に記載の誤り訂正方法。
【請求項３６】
情報担体より情報を再生する情報再生装置の集積回路であって、
前記情報再生装置は前記情報担体の任意の位置Ａより符号化データを再生する再生手段を備え、
前記符号化データは、複数の第１の誤り訂正符号で誤り訂正符号化された第１符号化データと、前記第１の誤り訂正符号より訂正能力の高い複数の第２の誤り訂正符号で誤り訂正符号化された第２符号化データにより構成され、前記第２符号化データを構成するシンボル間に、前記第１符号化データを構成する所定数のシンボルが配置された複合符号化データであって、
前記集積回路は、前記複合符号化データに生じた誤りを訂正する誤り訂正手段を備え、前記情報担体の任意の位置Ａより前記再生手段により複数回再生されたそれぞれの複合符号化データに対して前記第２符号化データに生じた誤りの位置を求め、前記第２符号化データを構成するシンボルの誤り回数により手掛かり位置を決定し、前記誤り訂正手段は前記手掛かり位置を基に消失ポインタを付加することを特徴とする集積回路。
【請求項３７】
情報担体より情報を再生する情報再生装置の集積回路であって、
前記情報再生装置は前記情報担体の任意の位置Ａより符号化データを再生する再生手段を備え、
前記符号化データは、複数の第１の誤り訂正符号で誤り訂正符号化された第１符号化データと、前記第１の誤り訂正符号より訂正能力の高い複数の第２の誤り訂正符号で誤り訂正符号化された第２符号化データにより構成され、前記第２符号化データを構成するシンボル間に、前記第１符号化データを構成する所定数のシンボルが配置された複合符号化データであって、
前記集積回路は、前記複合符号化データに生じた誤りを訂正する誤り訂正手段を備え、前記情報担体の任意の位置Ａより前記再生手段により再生された第１の複合符号化データに、前記誤り訂正手段において訂正不可能な誤りが検出された場合には、前記再生手段により前記任意の位置Ａより再度再生された第２の複合符号化データの、前記第１の複合符号化データの第２符号化データに生じた誤りの位置と、前記第２の複合符号化データの第２符号化データに生じた誤りの位置の両方を用いて、前記誤り訂正手段は消失ポインタを付加することを特徴とする集積回路。
【請求項３８】
情報担体より情報を再生する情報再生装置の集積回路であって、
前記情報再生装置は前記情報担体の任意の位置Ａより符号化データを再生する再生手段を備え、
前記集積回路は、前記複合符号化データに生じた誤りを訂正する誤り訂正手段を備え、前記誤り訂正手段は複数の消失ポインタ付加方法を備え、前記誤り訂正手段において訂正不可能な誤りが発生した場合には、前記再生手段により再度符号化データを再生し、前記誤り訂正手段は、前回とは異なる消失ポインタ付加方法を用いて誤りを訂正することを特徴とする集積回路。
【請求項３９】
前記符号化データは、複数の第１の誤り訂正符号で誤り訂正符号化された第１符号化データと、前記第１の誤り訂正符号より訂正能力の高い複数の第２の誤り訂正符号で誤り訂正符号化された第２符号化データにより構成され、前記第２符号化データを構成するシンボル間に、前記第１符号化データを構成する所定数のシンボルが配置された複合符号化データであることを特徴とする請求項３８に記載の集積回路。
【発明の詳細な説明】
【技術分野】
【０００１】
本発明は、複数の第１の誤り訂正符号で誤り訂正符号化された第１符号化データと、前記第１の誤り訂正符号より訂正能力の高い複数の第２の誤り訂正符号で誤り訂正符号化された第２符号化データにより構成され、前記第２符号化データを構成するシンボル間に、前記第１符号化データを構成する所定数のシンボルが配置された複合符号化データの誤りを訂正する情報再生装置に関するものである。
【背景技術】
【０００２】
誤り訂正符号化されたデータの誤りを訂正する際、予め誤りの発生した位置がわかっていれば、消失訂正が可能となり訂正可能な誤りの数を最大２倍にすることができる。バーストエラーを発見するために、複数の第１の誤り訂正符号で誤り訂正符号化された第１符号化データと、第１の誤り訂正符号より訂正能力の高い複数の第２の誤り訂正符号で誤り訂正符号化された第２符号化データにより構成され、第２符号化データを構成するシンボル間に第１符号化データを構成するシンボルを配置する複合符号化が考案されている。
【０００３】
例えば、Ｂｌｕ−ｒａｙ  Ｄｉｓｃでは、ＬＤＣ（Ｌｏｎｇ  Ｄｉｓｔａｎｃｅ  Ｃｏｄｅ）により保護されたユーザデータに、ＬＤＣより冗長度が高く訂正能力の高いＢＩＳ（Ｂｕｒｓｔ  Ｉｎｄｉｃａｔｏｒ  Ｃｏｄｅ）を組み合わせ、ＢＩＳを訂正することにより得られる誤り発生位置を手掛かりとしてバーストエラー位置を推測し、ＬＤＣにおいて消失訂正を可能としている。ここで、ＬＤＣが第１符号化データ、ＢＩＳが第２符号化データである（例えば、非特許文献１参照）。
【０００４】
しかし、ＢＩＳに発生する誤りは必ずしもバーストエラーであるとは限らず、ノイズ等が原因で発生するランダムエラーの場合もある。より効率良く消失訂正を行うには、ＢＩＳに発生した誤りがバーストエラーによるものかランダムエラーによるものかを判別する必要がある。例えば、誤りが生じたＢＩＳシンボルのエラーとなったビット数により、バーストエラーとランダムエラーを判別する方法が提案されている（例えば、特許文献１参照）。
【非特許文献１】前田茂己、他５名、”Ｂｌｕ−ｒａｙ  Ｄｉｓｃの物理フォーマット”、シャープ技報  第９０号、２００４年１２月、ｐ１１−１５
【特許文献１】特開２００４−２９５９５８号公報（００８９−００９１）
【発明の開示】
【発明が解決しようとする課題】
【０００５】
しかしながら、誤り訂正符号化された情報を記録媒体に記録する場合、一般には変調を行った情報が用いられる。例えばＢｌｕ−ｒａｙ  Ｄｉｓｃでは、１−７ＰＰという変調方式が用いられている。記録媒体から情報を再生する際には、変調された情報を変調前の情報に戻す復調が行われた後に誤り訂正が行われる。復調前の１ビットエラーが復調後でも１ビットのエラーになるとは限らないため、変調データが記録される記録媒体からデータを再生する場合には、誤りが生じたＢＩＳシンボルのエラーとなったビット数によりバーストエラーとランダムエラーを判別することは困難となる。
【０００６】
本発明は、前記従来の課題を解決するもので、より効率的に消失ポインタを付加することにより、誤り訂正能力を向上した情報再生装置を提供することを目的とする。
【課題を解決するための手段】
【０００７】
前記従来の課題を解決するために、本発明の情報再生装置は、情報担体の任意の位置Ａより複数回再生されたそれぞれの複合符号化データに対して第２符号化データに生じた誤りの位置を求め、誤り回数により手掛かり位置を決定し消失ポインタを付加する。
【０００８】
また、本発明の情報再生装置は、情報担体の任意の位置Ａより再生された第１の複合符号化データに訂正不可能な誤りが検出された場合には、再度任意の位置Ａより第２の複合符号化データを再生し、第１の複合符号化データの第２符号化データに生じた誤りの位置と、第２の複合符号化データの第２符号化データに生じた誤りの位置の両方を用いて、消失ポインタを付加する。
【０００９】
また、本発明の情報再生装置は、複数の消失ポインタ付加方法を備え、訂正不可能な誤りが発生した場合には、再度符号化データを再生し、前回とは異なる消失ポインタ付加方法を用いて誤りを訂正する。
【発明の効果】
【００１０】
本発明の情報再生装置によれば、バーストエラーに効率良く消失ポインタを付加し、より多くの誤りを訂正することができる。
【発明を実施するための最良の形態】
【００１１】
以下本発明の実施の形態について、図面を参照しながら説明する。
【００１２】
（実施の形態１）
まず、本発明の実施の形態１の情報再生装置における複合符号化データの構成について、図２、図３および図４を用いて説明する。
【００１３】
図２は、本発明の実施の形態１における第１符号化データの構成を示す構成図であり、７１は第１符号化データ、７４は第１の誤り訂正符号、８１はユーザデータ、８２はパリティである。図３は、本発明の実施の形態１における第２符号化データの構成を示す構成図であり、７２は第２符号化データ、７５は第２の誤り訂正符号、９１は補助データ、９２はパリティである。図４は、本発明の実施の形態１における複合符号化データの構成を示す構成図であり、７３は複合符号化データ、７６は第１符号化データを構成するシンボル、７７は第２符号化データを構成するシンボルである。
【００１４】
第１符号化データ７１は、１０シンボルのユーザデータ８１と４シンボルのパリティ８２により構成される、１６個の第１の誤り訂正符号７４により構成されており、１６０シンボルのユーザデータ８１が含まれている。第２符号化データ７２は、３シンボルの補助データ９１と４シンボルのパリティ９２により構成される、８個の第２の誤り訂正符号７５により構成されている。第１の誤り訂正符号７４および第２の誤り訂正符号７５はリードソロモン符号で構成されている。複合符号化データ７３は、第２符号化データを構成するシンボル７７の間に４シンボルの第１符号化データを構成するシンボル７６が配置されて構成される。第２符号化データは、第１符号化データ７１よりも冗長度が高く訂正能力も高いので、より強力に保護されている。
【００１５】
次に、本発明の実施の形態１の情報再生装置における消失訂正の例について、図１を用いて説明する。
【００１６】
図１は、本発明の実施の形態１における情報再生装置の構成を示したブロック図であり、２０は記録媒体、２１はヘッド、２２は２値化回路、２３は復調回路、２４は誤り訂正回路、２５はメモリである。
【００１７】
ヘッド２１は、再生すべき記録データが記録されている記録媒体２０の所定の位置Ａより記録データを再生し、再生信号として２値化回路２２へ出力する。２値化回路２２は、再生信号を“０”もしくは“１”の２つのレベルを持つバイナリデータに変換し、復調回路２３へ出力する。復調回路２３は、バイナリデータを復調して複合符号化データ７３を再生し、誤り訂正回路２４へ出力する。誤り訂正回路２４は、複合符号化データ７３を構成する第２符号化データ７２の誤り訂正を行ない、誤りが発生した第２符号化データを構成するシンボル７７の位置をメモリ２５に保持させる。
【００１８】
上記の、記録媒体２０の所定の位置Ａより記録データを再生し、誤りが発生した第２符号化データを構成するシンボル７７の位置をメモリ２５に記憶させるまでのリード動作を第１の所定の回数繰り返し、誤り訂正回路２４は、メモリ２５に保持された誤りが発生した第２符号化データを構成するシンボル７７の位置より第２符号化データを構成するシンボル７７の誤り回数を求め、誤り回数が第２の所定の回数以上である第２符号化データを構成するシンボル７７を手掛かりシンボルとする。バーストエラーは繰り返し再生しても同じ場所に発生する確率が高いため、より正確にバーストエラーに対して手掛かりシンボルを決定することが可能となる。
【００１９】
誤り訂正回路２４は、手掛かりシンボルを基にして第１符号化データを構成するシンボル７６に消失ポインタを付加し、消失訂正を含む誤り訂正を第１符号化データ７１に対して行ない、正しいユーザデータ８１を再生する。消失ポインタは図５のように、手掛かりシンボル１０１の前後に連続する所定の数の第１符号化データを構成するシンボル１０２に付加すればよい。図５は、本発明の実施の形態１における消失ポインタの付加方法を示す説明図であり、１０１は手掛かりシンボル、１０２は消失ポインタが付加されるシンボルである。
【００２０】
また、消失ポインタは図６のように、手掛かりシンボル１１１と、その前後の第２符号化データを構成するシンボル１１２の間に位置する第１符号化データを構成するシンボル１１３に付加してもよい。図６は、本発明の実施の形態１における消失ポインタの付加方法を示す説明図であり、１１１は手掛かりシンボル、１１２は第２符号化データを構成するシンボル、１１３は消失ポインタが付加されるシンボルである。
【００２１】
また、消失ポインタは図７のように、隣接する２つの手掛かりシンボル１２１と１２２の間に位置する第１符号化データを構成するシンボル１２３に付加してもよい。図７は、本発明の実施の形態１における消失ポインタの付加方法を示す説明図であり、１２１、１２２は手掛かりシンボル、１２３は消失ポインタが付加されるシンボルである。
【００２２】
また、手掛かりシンボルには誤り回数により優先度をつけてもよい。手掛かりシンボルの優先度により、第１符号化データを構成するシンボル７６に付加する消失ポインタの決定方法を変化させてもよい。例えば、誤り回数が多く優先度の高い手掛かりシンボルを基にして図６のように消失ポインタを第１符号化データを構成するシンボル７６に付加し、誤り回数が中程度の通常の優先度の手掛かりシンボルを基にして図５のように消失ポインタを第１符号化データを構成するシンボル７６に付加し、誤り回数が少なく優先度の低い手掛かりシンボルを基にして図７のように消失ポインタを第１符号化データを構成するシンボル７６に付加すればよい。優先度の高い手掛かりシンボルからは積極的に消失ポインタをつけ、優先度の低い手掛かりシンボルは複数用いて確実性を上げてから消失ポインタをつける。
【００２３】
また、誤り回数が多く優先度の高い手掛かりシンボルから順に、第１符号化データ７１に付加された消失ポインタの数により、第１符号化データを構成するシンボル７６に付加する消失ポインタの決定方法を変化させてもよい。例えば、優先度の高い手掛かりシンボルから順に第１符号化データ７１に付加された消失ポインタの数が所定の数以下であれば図６のように消失ポインタを第１符号化データを構成するシンボル７６に付加し、第１符号化データ７１に付加された消失ポインタの数が所定の数以上であれば図７のように消失ポインタを第１符号化データを構成するシンボル７６に付加すればよい。
【００２４】
また、誤り回数が多く優先度の高い手掛かりシンボルから順に消失ポインタの決定方法を変化させる場合には、第１符号化データ７１に付加された消失ポインタの数の代わりに、１つの第１の誤り訂正符号７４に付加された消失ポインタの数により消失ポインタの決定方法を変化させてもよい。第１符号化データ７１は複数の第１の誤り訂正符号７４で構成されており、誤り訂正はそれぞれの第１の誤り訂正符号７４により行われるからである。このとき、１つの第１の誤り訂正符号７４に付加する消失ポインタの数は最大でも第１の誤り訂正符号７４のパリティ数までとすることが望ましい。ランダムエラーを訂正する余裕を考え、１つの第１の誤り訂正符号７４に付加する消失ポインタの数を最大でも第１の誤り訂正符号７４のパリティ数より小さい所定の数までとすればなおよい。
【００２５】
このように、誤りの回数により手掛かりシンボルを決定することにより、より多くの誤りを訂正することができる。
【００２６】
なお、ある優先度を持った手掛かりシンボルを基に図７のように消失ポインタを第１符号化データを構成するシンボル７６に付加する場合、より優先度の高い手掛かりシンボルも同じ優先度の手掛かりシンボルとして用いてもよい。
【００２７】
なお、複合符号化データ７３を構成する第１符号化データ７１は、バーストエラーの影響を軽減するためにスクランブルが行われる場合もあるが、スクランブルの方法によらず適用可能である。
【００２８】
なお、複合符号化データ７３を構成する第２符号化データ７２は、バーストエラーの影響を軽減するためにスクランブルが行われる場合もあるが、スクランブルの方法によらず適用可能である。
【００２９】
なお、手掛かりシンボルを基にして消失ポインタを付加する方法は、本実施の形態１以外の既知の方法を用いてもよい。
【００３０】
なお、所定の回数繰り返すリード動作では、再生条件を変えてもよいし、同じでもよい。
【００３１】
なお、第１の誤り訂正符号７４、第２の誤り訂正符号７５、第１符号化データ７１、第２符号化データ７２、複合符号化データ７３を構成するシンボル数は説明のために仮定した数であり、符号を構成するシンボル数を限定するものではない。誤り訂正符号の種類についても、第１の誤り訂正符号７４は消失訂正が可能な誤り訂正符号であればその種類は限定しないし、第２の誤り訂正符号７５は誤り訂正符号であればその種類は限定しない。
【００３２】
なお、同期のためのパターンが第２符号化データ７２の一部として使用される場合もある。期待される同期パターンとの一致の度合いにより手掛かりシンボルを決定すればよく、一致の度合いにより優先度を決定することもできる。
【００３３】
なお、本実施の形態１における情報再生装置は、誤り訂正回路２４の動作に特徴があり、誤り訂正回路２４への入力以前の構成は本実施の形態１以外の既知の構成でもよい。例えば、変調がされていない記録データを再生する場合であれば、復調回路２３は必ずしも必要としない。
【００３４】
（実施の形態２）
本発明の実施の形態２の情報再生装置における複合符号化データの構成については、実施の形態１の複合符号化データの構成と同じであるとし、説明を省略する。
【００３５】
次に、本発明の実施の形態２の情報再生装置における消失訂正の例について、図８を用いて説明する。
【００３６】
図８は、本発明の実施の形態２における情報再生装置の構成を示したブロック図であり、３０は記録媒体、３１はヘッド、３２は２値化回路、３３は復調回路、３４は誤り訂正回路、３５はメモリである。
【００３７】
ヘッド３１は、再生すべき記録データが記録されている記録媒体３０の所定の位置Ａより記録データを再生し、再生信号として２値化回路３２へ出力する。２値化回路３２は、再生信号を“０”もしくは“１”の２つのレベルを持つバイナリデータに変換し、復調回路３３へ出力する。復調回路３３は、バイナリデータを復調して複合符号化データ７３を再生し、誤り訂正回路３４へ出力する。誤り訂正回路３４は、複合符号化データ７３を構成する第２符号化データ７２の誤り訂正を行ない、誤りが発生した第２符号化データを構成するシンボル７７を手掛かりシンボルとする。さらに、手掛かりシンボルを基にして第１符号化データを構成するシンボル７６に消失ポインタを付加し、消失訂正を含む１回目の誤り訂正を第１符号化データ７１に対して行ない、正しいユーザデータ８１を再生する。
【００３８】
誤り訂正回路３４は、第１符号化データ７１に対する１回目の誤り訂正を行なった際に、訂正不可能なエラーが検出された場合、誤りが発生した第２符号化データを構成するシンボル７７の位置を第１のエラー位置情報として、エラーが発生した第１の誤り訂正符号とその訂正不能理由を必要に応じてメモリ３５に保持させる。
【００３９】
さらに、記録媒体３０の所定の位置Ａより記録データを再生し、第２符号化データ７２の誤り訂正を行なうまでの動作を再び行ない、再度得られた第２符号化データを構成するシンボル７７の誤り位置を第２のエラー位置情報として得る。メモリ３５に保持された第１のエラー位置情報と、再度得られた第２のエラー位置情報より手掛かりシンボルを決定し、手掛かりシンボルを基にして再度得られた第１符号化データを構成するシンボル７６に消失ポインタを付加し、消失訂正を含む２回目の誤り訂正を第１符号化データ７１に対して行ない、正しいユーザデータ８１を再生する。
【００４０】
手掛かりシンボルを決定する方法としては、第１のエラー位置情報および第２のエラー位置情報の両方に含まれる第２符号化データを構成するシンボル７７を手掛かりシンボルとすればよい。バーストエラーは同じ位置で繰り返しエラーが発生するので、効率良くバーストエラーを検出することができる。
【００４１】
また、第１のエラー位置情報もしくは第２のエラー位置情報のどちらかに含まれる第２符号化データを構成するシンボル７７を手掛かりシンボルとしてもよい。
【００４２】
また、１回目の誤り訂正で所定の数以上の消失ポインタが第１符号化データ７１に付加された場合には第１のエラー位置情報および第２のエラー位置情報の両方に含まれる第２符号化データを構成するシンボル７７を手掛かりシンボルとし、１回目の誤り訂正で所定の数以下の消失ポインタが第１符号化データ７１に付加された場合には第１のエラー位置情報もしくは第２のエラー位置情報のどちらかに含まれる第２符号化データを構成するシンボル７７を手掛かりシンボルとしてもよい。
【００４３】
また、１回目の誤り訂正で所定の数以上の消失ポインタが第１符号化データ７１を構成するいずれかの第１の誤り訂正符号７４に付加された場合には第１のエラー位置情報および第２のエラー位置情報の両方に含まれる第２符号化データを構成するシンボル７７を手掛かりシンボルとし、１回目の誤り訂正で所定の数以上の消失ポインタが第１符号化データ７１を構成するいずれの第１の誤り訂正符号７４にも付加されなかった場合には第１のエラー位置情報もしくは第２のエラー位置情報のどちらかに含まれる第２符号化データを構成するシンボル７７を手掛かりシンボルとしてもよい。
【００４４】
手掛かりシンボルを基にして第１符号化データを構成するシンボル７６に消失ポインタを付加するには、実施の形態１において図５〜７を用いて説明したいずれかの方法を用いればよい。
【００４５】
また、第１のエラー位置情報および第２のエラー位置情報の両方に含まれる第２符号化データを構成するシンボル７７を優先度の高い手掛かりシンボルとし、第１のエラー位置情報もしくは第２のエラー位置情報のどちらかに含まれる第２符号化データを構成するシンボル７７を優先度の低い手掛かりシンボルとしてもよい。
【００４６】
また、手掛かりシンボルの優先度により、第１符号化データを構成するシンボル７６に付加する消失ポインタの付加方法を複数の中から選択してもよい。例えば、優先度の高い手掛かりシンボルを基にして図６のように消失ポインタを第１符号化データを構成するシンボル７６に付加し、優先度の低い手掛かりシンボルを基にして図７のように消失ポインタを第１符号化データを構成するシンボル７６に付加すればよい。
【００４７】
また、１回目の誤り訂正で所定の数以上の消失ポインタが第１の誤り訂正符号７４に付加された場合には優先度の高い手掛かりシンボルを基にし、１回目の誤り訂正で所定の数以下の消失ポインタが第１の誤り訂正符号７４に付加された場合には優先度の高い手掛かりシンボルおよび優先度の低い手掛かりシンボルを基にして消失ポインタを付加してもよい。
【００４８】
また、１回目の誤り訂正で第１符号化データ７１に付加された消失ポインタの数により、消失ポインタの付加方法を複数の中から選択してもよい。これにより、消失ポインタが付加されるシンボル数をコントロールすることができ、消失ポインタのつけすぎを防ぐことができるし、訂正可能な範囲でより多くの消失ポインタをつけることもできる。
【００４９】
このように、１回目および２回目両方のエラーが発生した第２符号化データを構成するシンボル７７の位置を用いて手掛かりシンボルを決定することにより効率よくバーストエラーを発見でき、１回目の第１符号化データのエラー発生状況を用いて手掛かりシンボルの決定や優先度の設定および消失ポインタの付加方法を選択することにより、訂正限界を超えない消失ポインタの付加を行ない、より多くの誤りを訂正することができる。
【００５０】
なお、１つの第１の誤り訂正符号７４に付加する消失ポインタの数は最大でも第１の誤り訂正符号７４のパリティ数までとすることが望ましい。ランダムエラーを訂正する余裕を考え、１つの第１の誤り訂正符号７４に付加する消失ポインタの数を最大でも第１の誤り訂正符号７４のパリティ数より小さい所定の数までとすればなおよい。手掛かりシンボルに優先度が付けられている場合には、優先度の高い手掛かりシンボルを基に第１の誤り訂正符号７４に消失ポインタを付加した後に、優先度の低い手掛かりシンボルを基に第１の誤り訂正符号７４に消失ポインタを付加すればよい。
【００５１】
なお、複合符号化データ７３を構成する第１符号化データ７１は、バーストエラーの影響を軽減するためにスクランブルが行われる場合もあるが、スクランブルの方法によらず適用可能である。
【００５２】
なお、複合符号化データ７３を構成する第２符号化データ７２は、バーストエラーの影響を軽減するためにスクランブルが行われる場合もあるが、スクランブルの方法によらず適用可能である。
【００５３】
なお、手掛かりシンボルを基にして消失ポインタを付加する方法は、本実施の形態以外の既知の方法を用いてもよい。
【００５４】
なお、第１の誤り訂正符号７４、第２の誤り訂正符号７５、第１符号化データ７１、第２符号化データ７２、複合符号化データ７３を構成するシンボル数は説明のために仮定した数であり、符号を構成するシンボル数を限定するものではない。
【００５５】
なお、同期のためのパターンが第２符号化データ７２の一部として使用される場合もある。期待される同期パターンとの一致の度合いにより手掛かりシンボルを決定すればよく、一致の度合いにより優先度を決定することもできる。
【００５６】
なお、本実施の形態２における情報再生装置は、誤り訂正回路３４の動作に特徴があり、誤り訂正回路３４への入力以前の構成は本実施の形態２以外の既知の構成でもよい。例えば、変調がされていない記録データを再生する場合であれば、復調回路３３は必ずしも必要としない。
【００５７】
（実施の形態３）
本発明の実施の形態３の情報再生装置における複合符号化データの構成については、実施の形態１の複合符号化データの構成と同じであるとし、説明を省略する。
【００５８】
次に、本発明の実施の形態３の情報再生装置における消失訂正の例について、図９を用いて説明する。
【００５９】
図９は、本発明の実施の形態３における情報再生装置の構成を示したブロック図であり、４０は記録媒体、４１はヘッド、４２は２値化回路、４３は復調回路、４４は誤り訂正回路である。
【００６０】
ヘッド４１は、再生すべき記録データが記録されている記録媒体４０の所定の位置Ａより記録データを再生し、再生信号として２値化回路４２へ出力する。２値化回路４２は、再生信号を“０”もしくは“１”の２つのレベルを持つバイナリデータに変換し、復調回路４３へ出力する。復調回路４３は、バイナリデータを復調して複合符号化データ７３を再生し、誤り訂正回路４４へ出力する。誤り訂正回路４４は、複合符号化データ７３を構成する第２符号化データ７２の誤り訂正を行ない、誤りが発生した第２符号化データを構成するシンボル７７を手掛かりシンボルとする。さらに、手掛かりシンボルを基にして第１符号化データを構成するシンボル７６に消失ポインタを付加し、消失訂正を含む１回目の誤り訂正を第１符号化データ７１に対して行ない、正しいユーザデータ８１を再生する。
【００６１】
誤り訂正回路４４は、第１符号化データ７１に対する１回目の誤り訂正を行なった際に、訂正不可能なエラーが検出された場合、記録媒体４０の所定の位置Ａより記録データを再生し、第２符号化データ７２の誤り訂正を行なうまでの動作を再び行ない、再度得られた第２符号化データを構成するシンボル７７の誤り位置を第２のエラー位置情報として得る。再度得られた第２のエラー位置情報より手掛かりシンボルを決定し、手掛かりシンボルを基にして１回目の誤り訂正とは異なる方法で第１符号化データを構成するシンボル７６に消失ポインタを付加し、消失訂正を含む２回目の誤り訂正を第１符号化データ７１に対して行ない、正しいユーザデータ８１を再生する。
【００６２】
手掛かりシンボルを基にして第１符号化データを構成するシンボル７６に消失ポインタを付加するには、実施の形態１において図５〜７を用いて説明したいずれかの方法を用いればよい。
【００６３】
また、１回目の誤り訂正で所定の数以上の消失ポインタが第１符号化データ７１に付加された場合や、１回目の誤り訂正で所定の数以上の消失ポインタが第１符号化データ７１を構成するいずれかの第１の誤り訂正符号７４に付加された場合には、例えば図７のように消失ポインタが少なくなる方法を用いればよい。
【００６４】
また、１回目の誤り訂正で所定の数以下の消失ポインタが第１符号化データ７１に付加された場合や、１回目の誤り訂正で所定の数以上の消失ポインタが第１符号化データ７１を構成するいずれの第１の誤り訂正符号７４にも付加されなかった場合には、例えば図６のように消失ポインタが少なくなる方法を用いればよい。
【００６５】
このように、１回目の第１符号化データのエラー発生状況を用いて手掛かりシンボルの決定および消失ポインタの付加方法を選択することにより、訂正限界を超えない消失ポインタの付加を行ない、より多くの誤りを訂正することができる。
【００６６】
なお、１つの第１の誤り訂正符号７４に付加する消失ポインタの数は最大でも第１の誤り訂正符号７４のパリティ数までとすることが望ましい。ランダムエラーを訂正する余裕を考え、１つの第１の誤り訂正符号７４に付加する消失ポインタの数を最大でも第１の誤り訂正符号７４のパリティ数より小さい所定の数までとすればなおよい。
【００６７】
なお、複合符号化データ７３を構成する第１符号化データ７１は、バーストエラーの影響を軽減するためにスクランブルが行われる場合もあるが、スクランブルの方法によらず適用可能である。
【００６８】
なお、複合符号化データ７３を構成する第２符号化データ７２は、バーストエラーの影響を軽減するためにスクランブルが行われる場合もあるが、スクランブルの方法によらず適用可能である。
【００６９】
なお、手掛かりシンボルを基にして消失ポインタを付加する方法は、本実施の形態以外の既知の方法を用いてもよい。
【００７０】
なお、第１の誤り訂正符号７４、第２の誤り訂正符号７５、第１符号化データ７１、第２符号化データ７２、複合符号化データ７３を構成するシンボル数は説明のために仮定した数であり、符号を構成するシンボル数を限定するものではない。
【００７１】
なお、同期のためのパターンが第２符号化データ７２の一部として使用される場合もある。期待される同期パターンとの一致の度合いにより手掛かりシンボルを決定すればよく、一致の度合いにより優先度を決定することもできる。
【００７２】
なお、本実施の形態３における情報再生装置は、誤り訂正回路４４の動作に特徴があり、誤り訂正回路４４への入力以前の構成は本実施の形態３以外の既知の構成でもよい。例えば、変調がされていない記録データを再生する場合であれば、復調回路４３は必ずしも必要としない。
【産業上の利用可能性】
【００７３】
本発明にかかる情報再生装置は、光ディスクや磁気ディスク等の記憶媒体の再生装置および記録再生装置として有用である。また通信の受信装置等の用途にも応用できる。
【図面の簡単な説明】
【００７４】
【図１】本発明の実施の形態１における情報再生装置の構成を示したブロック図
【図２】本発明の実施の形態１における第１符号化データの構成を示す構成図
【図３】本発明の実施の形態１における第２符号化データの構成を示す構成図
【図４】本発明の実施の形態１における複合符号化データの構成を示す構成図
【図５】本発明の実施の形態１における消失ポインタの付加方法を示す説明図
【図６】本発明の実施の形態１における消失ポインタの付加方法を示す説明図
【図７】本発明の実施の形態１における消失ポインタの付加方法を示す説明図
【図８】本発明の実施の形態２における情報再生装置の構成を示したブロック図
【図９】本発明の実施の形態３における情報再生装置の構成を示したブロック図
【符号の説明】
【００７５】
２０，３０，４０    記録媒体
２１，３１，４１    ヘッド
２２，３２，４２    ２値化回路
２３，３３，４３    復調回路
２４，３４，４４    誤り訂正回路
２５，３５    メモリ
７１    第１符号化データ
７２    第２符号化データ
７３    複合符号化データ
７４    第１の誤り訂正符号
７５    第２の誤り訂正符号
７６    第１符号化データを構成するシンボル
７７    第２符号化データを構成するシンボル
８１    ユーザデータ
８２，９２    パリティ
９１    補助データ
１０１，１１１，１２１，１２２    手掛かりシンボル
１０２，１１３，１２３    消失ポインタが付加されるシンボル
１１２    第２符号化データを構成するシンボル
【図１】
2007273017.tif 000003
【図２】
2007273017.tif 000004
【図３】
2007273017.tif 000005
【図４】
2007273017.tif 000006
【図５】
2007273017.tif 000007
【図６】
2007273017.tif 000008
【図７】
2007273017.tif 000009
【図８】
2007273017.tif 000010
【図９】
2007273017.tif 000011